(57)【要約】【課題】様々な商品の配置レイアウトに対応できる商品陳列ユニットを提供する。【解決手段】複数の陳列什器２，３が回転軸１８，１８により垂直方向あるいは水平方向に回動可能に枢着されて構成されており、これら複数の陳列什器２，３は、回転軸１８，１８を介して展開位置と収束位置とに切替可能となっており、収束位置では複数の陳列什器２，３により箱形状が構成され、箱形状の少なくとも天面Ｒが商品を陳列可能な展示部Ｄ４を構成するようになっており、収束位置で対向する陳列什器２，３同士の対向面には、対向面のうち少なくとも一方側に展開位置でアクセス可能となる展開時の展示部Ｄ５，Ｄ６が設けられている。【選択図】図４
2018102776.tif 000002
【特許請求の範囲】
【請求項１】
複数の陳列什器が回転軸により垂直方向あるいは水平方向に回動可能に枢着されて構成されており、
これら複数の陳列什器は、前記回転軸を介して展開位置と収束位置とに切替可能となっており、前記収束位置ではこれら複数の陳列什器により箱形状が構成され、該箱形状の少なくとも天面が商品を陳列可能な収束時の展示部を構成するようになっており、
前記収束位置で対向する前記陳列什器同士の対向部のうち少なくとも一方の対向部は、前記展開位置でアクセス可能となる展開時の展示部とされていることを特徴とする商品陳列ユニット。
【請求項２】
前記収束位置にある前記複数の陳列什器の天面には、孔部がそれぞれ形成されており、複数の脚部と当該脚部同士を連結する連結杆部とを有する柵部材の前記脚部が前記孔部にそれぞれ着脱可能となっていることを特徴とする請求項１に記載の商品陳列ユニット。
【請求項３】
前記展開時の展示部には、複数本のレールが設けられており、該レールには商品載置用の板部材が突設可能となっていることを特徴とする請求項１または２に記載の商品陳列ユニット。
【請求項４】
前記複数の陳列什器は、隣接する陳列什器と水平軸で枢着されており、展開時において一方の前記陳列什器の収束時の天面が他方の前記陳列什器の収束時の天面に接触し、一方の前記陳列什器は他方の前記陳列什器上に支持されることを特徴とする請求項１ないし３のいずれかに記載の商品陳列ユニット。
【請求項５】
前記複数の陳列什器は、隣接する前記陳列什器と垂直軸で枢着されており、展開時において一方の前記陳列什器の収束時の側端面が他方の前記陳列什器の収束時の側端面に接触することを特徴とする請求項１ないし３のいずれかに記載の商品陳列ユニット。
【発明の詳細な説明】
【技術分野】
【０００１】
本発明は、商品を陳列する商品陳列ユニットに関する。
【背景技術】
【０００２】
従来、販売される商品を陳列する商品陳列什器（以下、単に陳列什器という。）としては、例えば特許文献１に示されるように、商品を陳列可能な棚板を上下方向に複数段備えたものがある。このような陳列什器は、一般的な売り場で使用することが想定されていることから、棚板の奥行き方向に商品を多数陳列して、多くの商品を収容できるようになっている。
【０００３】
また、特許文献２に示されるように、３つの陳列什器を水平方向に回動可能に連結した陳列ユニットがある。この陳列ユニットは、３つの陳列什器の内の中央に位置する陳列什器に対して左右の陳列什器を重合させるように収束させることができるようになっている。各陳列什器はそれぞれ商品を展示できる展示部を備えており、これら陳列ユニットを収束させた際に、隣接する陳列什器の展示部同士が内側で対向するようになり、商品や展示部を保護可能な構造となっている。このような陳列ユニットは、展示会の会場等において商品を紹介する販促等で使用されることが想定されていることから、展示部は奥行方向に短いものの、左右に陳列什器を展開することで、展示部が拡がり展示部の視認領域や展示部へのアクセス領域を広くして商品の展示効果がより高められている。
【先行技術文献】
【特許文献】
【０００４】
【特許文献１】特開２０１５−２３８９５号公報（第５頁、第１図）
【特許文献２】実用新案登録第３０９５０４５号公報（第７頁、第１図）
【発明の概要】
【発明が解決しようとする課題】
【０００５】
商品の販促が行われる場所としては、先にも挙げたスーパーマーケットやデパート等における一般的な売り場や、展示会の会場等の多岐に亘り、それぞれの販促企画に応じて商品を配置するレイアウトの変更が頻繁に行われており、販促企画に合う陳列什器が必要となる。しかしながら、例えば特許文献１の陳列什器や特許文献２の陳列ユニットにあっては、一般的な売り場用や販促用に応じてそれぞれ異なる構造とされているため、様々な販促企画に広く対応することができず、レイアウトの変更に際して、変更以前に配置されていた陳列什器は、別の陳列什器に取り替えられることもあり、その取替作業が煩雑であるという問題があった。また、販促企画に応じて複数種類の陳列棚を準備しておく必要があることから、例えば使用していない陳列棚を保管するバックヤードの収容スペースを占有するといった諸問題も生じていた。
【０００６】
本発明は、このような問題点に着目してなされたもので、様々な商品の配置レイアウトに対応できる商品陳列ユニットを提供することを目的とする。
【課題を解決するための手段】
【０００７】
前記課題を解決するために、本発明の商品陳列ユニットは、
複数の陳列什器が回転軸により垂直方向あるいは水平方向に回動可能に枢着されて構成されており、
これら複数の陳列什器は、前記回転軸を介して展開位置と収束位置とに切替可能となっており、前記収束位置ではこれら複数の陳列什器により箱形状が構成され、該箱形状の少なくとも天面が商品を陳列可能な収束時の展示部を構成するようになっており、
前記収束位置で対向する前記陳列什器同士の対向面のうち少なくとも一方の対向面は、前記展開位置でアクセス可能となる展開時の展示部とされていることを特徴としている。
この特徴によれば、複数の陳列什器は収束位置では箱形状に収束され、複数の陳列什器により面積が大きく構成される箱形状の天面を展示部として利用しつつ、商品の収容容量を大きく確保することができる。一方、展開位置では、複数の陳列什器は収束位置よりも広がって展開されて展開時の展示部が出現するようになっていることから、展示部の外表面を形成する展示部の面積を広くして商品の展示効果を高めた状態とすることができる。このように、販促企画等に合わせて特徴の異なる展示部を選択することができ、様々な商品の配置レイアウトに対応することができる。
【０００８】
前記収束位置にある前記複数の陳列什器の天面には、孔部がそれぞれ形成されており、複数の脚部と当該脚部同士を連結する連結杆部とを有する柵部材の前記脚部が前記孔部にそれぞれ着脱可能となっていることを特徴としている。
この特徴によれば、柵部材は箱形状の天面の載置部上に陳列された商品の落下防止として機能するとともに、柵部材の脚部同士を連結する連結杆部によって複数の陳列什器の連結状態を維持することができる。
【０００９】
前記展開時の展示部には、複数本のレールが設けられており、該レールには商品載置用の板部材が突設可能となっていることを特徴としている。
この特徴によれば、展開時の展示部から突設させた板部材に商品を載置でき、展示効果を高めることができる。
【００１０】
前記複数の陳列什器は、隣接する陳列什器と水平軸で枢着されており、展開時において一方の前記陳列什器の収束時の天面が他方の前記陳列什器の収束時の天面に接触し、一方の前記陳列什器は他方の前記陳列什器上に支持されることを特徴としている。
この特徴によれば、展開時には複数の陳列什器が上下方向に展開されることになり、特に商品陳列ユニットから離れた位置からでも多くの商品を視認しやすい。
【００１１】
前記複数の陳列什器は、隣接する前記陳列什器と垂直軸で枢着されており、展開時において一方の前記陳列什器の収束時の側端面が他方の前記陳列什器の収束時の側端面に接触することを特徴としている。
この特徴によれば、展開時には複数の陳列什器が水平方向に大きく展開されることにより特に商品陳列ユニットから近い位置における展示効果が高いことに加え、隣接する陳列什器同士の側端面が接触することで、展開時における陳列什器同士の位置合わせが容易となっている。
【図面の簡単な説明】
【００１２】
【図１】実施例１における商品陳列ユニットの第１形態（収束）において商品を展示した斜視図である。
【図２】実施例１における商品陳列ユニットの下方の陳列什器の斜視図である。
【図３】実施例１における商品陳列ユニットの第２形態（展開）の背面側の斜視図である。
【図４】実施例１における商品陳列ユニットの第２形態（展開）において商品を展示した正面側の斜視図である。
【図５】実施例２における商品陳列ユニットの第１形態（収束）において商品を展示した斜視図である。
【図６】実施例２における商品陳列ユニットの第２形態（展開）において商品を展示した斜視図である。
【図７】図６とは異なる方向から見た斜視図である。
【図８】図６における上端面近傍の水平断面図である。
【発明を実施するための形態】
【００１３】
本発明に係る商品陳列ユニットを実施するための形態を実施例に基づいて以下に説明する。
【実施例１】
【００１４】
実施例１に係る商品陳列ユニットにつき、図１から図４を参照して説明する。
【００１５】
商品陳列ユニット１はスーパーマーケットやデパート等の店舗において主に利用され、商品を陳列する商品陳列ユニットである。図１に示されるように、商品陳列ユニット１は、２つの陳列什器２，３が上下方向に回動自在に連結されて構成されている。陳列什器２は下端に備えたキャスター７０，７０，…で移動可能となっている。キャスター７０，７０，…は破線で示す巾木７１で覆い隠されている。尚、必ずしもキャスター７０，７０，…は巾木７１で覆い隠されていなくてもよい。
【００１６】
図２に示されるように、陳列什器２は略直方体に形成されており、６面を構成するパネルがそれぞれ図示しないネジ等の固定手段により連結されて構成されており、図示しない化粧シート等でパネル同士の突き合わせ部分が露見しないようになっている。正面側は陳列什器２の下端から上下方向の略中央付近までが正面パネル４にて覆われ、正面パネル４の上方が開口している。
【００１７】
また、天面側は陳列什器２の前後方向の略中央付近まで天面パネル５にて覆われ、天面パネル５より前方側が開口している。側面パネル６，６は陳列什器２の下端から天面パネル５まで、すなわち陳列什器２の上端まで延びて形成されている。
【００１８】
また、側面パネル６には、正面パネル４側の端縁６ａから背面方向に延びる水平部６ｂと、当該水平部６ｂの終端から上方に向け天面パネル５の端面５ａ近傍まで繋がる湾曲形状の湾曲部６ｃとを有する切欠き７が形成されている。また、天面パネル５は、後述する仕切パネル９よりも前後方向長さが短く、左右幅は略同幅に形成されている。
【００１９】
図２に示されるように、陳列什器２の上下方向の略中央部には仕切パネル９が配置されており、図示しない固定手段により両側面が側面パネル６，６に固定されて支持されており、この仕切パネル９の上面９ａは、商品を陳列できる展開時の展示部Ｄ５を構成している。仕切パネル９は、前方部分９ｂが切欠き７，７の水平部６ｂ，６ｂと正面パネル４との上に位置するように配置されている。これら正面側の開口と、天面側の開口と、側面側に形成された切欠き７，７とが連続して陳列什器２の開口部８が構成されている。
【００２０】
また、図３に示されるように、陳列什器２の背面側は、仕切パネル９により上下に仕切られて上下に開口１１と開口１２とが形成されており、展示面パネル装置１０が開口１１から外面１０ａが露見するように固定されている。展示面パネル装置１０は、上下水平方向に延びる矩形状の板体１３，１３と、これら板体１３，１３の間に取付けられる水平方向に延びるレール１４，１４とを備えている。
【００２１】
ここでは詳述しないが、レール１４，１４は上下方向の中央に溝が形成されており、この溝に部材を支持固定可能となっており、図３に示されるように、この溝に板部材１５の端部を係合支持させることで、板部材１５の水平面部１５ａが商品を載置可能な載置部として機能するようになっている。尚、この載置部として機能する部材の構造や形状については種々考えられ板部材に限定されず、例えばバスケット状の部材等であってもよい。この展示面パネル装置１０の外面１０ａは収束時の展示部Ｄ１として機能する。
【００２２】
図２に示されるように、展示面パネル装置１０は開口部８側に露見する内面１０ｂ（展示部Ｄ５）にもレール１４，１４を備えた構造となっており、この展示面パネル装置１０の開口部８側の内面１０ｂが前述の仕切パネル９の上面９ａと合わせて展開時の展示部Ｄ５を構成している。
【００２３】
また、図３に示されるように、開口１２は側面パネル６，６の内面と正面パネル４の背面と仕切パネル９の下面と底面パネル部１６とにより区画されて、陳列什器２の奥行方向に広く形成された陳列部１７を構成している。この陳列部１７の外面側の領域は収束時の展示部Ｄ２として機能する。尚、開口１２には所定の高さで落下防止用の横杆部材１２ａが固定されている。
【００２４】
図１及び図４に示されるように、陳列什器３は、底面パネル２０（展開状態における底面側を底面パネルという）の開口部８側の端面２０ａが陳列什器２の天面パネル５の開口部８側の端面５ａと水平軸のヒンジ部材１８，１８に接続されて、陳列什器２に対して回動可能に連結されている。図にて詳述しないが、ヒンジ部材１８，１８は、底面パネル２０の端面２０ａと天面パネル５の端面５ａとにそれぞれ設けられた凹部（図示せず）に埋設されている。
【００２５】
図４に示されるように、陳列什器３は、底面パネル２０と天面パネル２１と側面パネル２２，２２と、後述する展示面パネル装置２４とにより正面側に開口する開口部２３を有する箱状に形成されている。また、底面パネル２０は、陳列什器２の天面側の開口と略同形状となっている。
【００２６】
側面パネル２２，２２の端縁２２ａ，２２ａは、側面パネル６，６の湾曲部６ｃ，６ｃと対応する形状となっており、側面パネル２２，２２と底面パネル２０と天面パネル２１の側面により構成される陳列什器３の側面が、陳列什器２の側面側の開口と略同形状となっている。
【００２７】
上記した寸法関係から、陳列什器２と陳列什器３とを収束させた際には、図１に示されるように、陳列什器２の開口部８が陳列什器３により閉塞される。また、収束時には陳列什器２における開口部８により直方体の外面形状として欠損した部分が陳列什器３により補完されるようになり、商品陳列ユニット１が直方体の箱形状となる。
【００２８】
図１及び図３に示されるように、陳列什器３の背面側には、前述したものと同様の板体１３，１３，１３とレール１４，１４とを備えた構造を有する展示面パネル装置２４が取付けられており、開口部２３から展示面パネル装置２４の外面２４ａが陳列什器３の外面側に露見している。この展示面パネル装置２４の外面側に露見する外面２４ａは収束時の展示部Ｄ３として機能する。
【００２９】
また、この展示面パネル装置２４は開口部２３の正面側即ち陳列什器３の内面側に露見する内面２４ｂにもレール１４，１４を備えた構造となっている。陳列什器３の底面パネル２０は内面２０ｂに商品を載置できるようになっており、展示面パネル装置２４の内面２４ｂと合わせて商品を載置できる展開時の展示部Ｄ６を構成している。
【００３０】
図１に示されるように、商品陳列ユニット１の収束時においては、陳列什器３の天面パネル２１が他方の陳列什器２の仕切パネル９の上に支持される。このとき、互いに対応する形状である陳列什器３の側面パネル２２，２２の端縁２２ａ，２２ａと陳列什器２の側面パネル６，６の湾曲部６ｃ，６ｃとが面接して開口部８の側面側が閉塞される。
【００３１】
陳列什器２の側面パネル６，６の湾曲部６ｃ，６ｃは下方側が幅広となる傾斜を有する湾曲形状であり、側面パネル２２，２２の端縁２２ａ，２２ａは反対に収束時には上方側が幅広となる傾斜を有する湾曲形状であることから、陳列什器２の湾曲部６ｃ，６ｃと陳列什器３の端縁２２ａ，２２ａとの当接面を介して陳列什器３の荷重の一部が陳列什器２に支持されるようになっている。
【００３２】
図１に示されるように、商品陳列ユニット１の第１形態（複数の陳列什器２，３の収束位置）にあっては、陳列什器２の天面パネル５の外面５ｂと陳列什器３の底面パネル２０の外面２０ｃとによって矩形状の天面Ｒが形成され、この天面Ｒが商品を載置可能な収束時の展示部Ｄ４として機能するようになっている。この箱形状の天面Ｒは、２つの陳列什器２，３を収束させて構成されていることから、その水平方向の面積が大きく、商品の収容容量を大きく確保することができる。また、展開時に比べ低い位置に展示部Ｄ４として機能する天面Ｒを配することができるため、特に商品陳列ユニット１から近い客からは商品が陳列された天面Ｒ全体を見渡すことができるとともに、商品自体を全方位から確認でき、展示効果が高い。
【００３３】
また、ヒンジ部材１８，１８は、底面パネル２０の端面２０ａと天面パネル５の端面５ａとにそれぞれ設けられた凹部（図示せず）に埋設されており、第１形態においてヒンジ部材１８，１８が天面Ｒ上に露出しないため、美観に優れるとともに、滑らかな平面形状とした天面Ｒ上に商品を陳列可能である。
【００３４】
このように、陳列什器３が陳列什器２の上に支持された状態が、陳列什器３と陳列什器２とが収束位置にある商品陳列ユニット１の第１形態であり、この第１形態では展示部Ｄ１と展示部Ｄ２と展示部Ｄ３と展示部Ｄ４とが商品を陳列可能な展示部として機能する。
【００３５】
また、図１に示されるように、陳列什器２の天面パネル５の外面５ｂと陳列什器３の底面パネル２０の外面２０ｃとが構成する矩形状の天面Ｒの４隅には有底の孔部２５，２５，２６，２６が形成されており、この孔部２５，２５，２６，２６に柵部材３０の脚部３１，３１，３１，３１を係合可能となっている。
【００３６】
柵部材３０は、４本の脚部３１，３１，３１，３１と、脚部３１，３１，３１，３１同士を連結する連結杆部３２，３２，３２，３２とにより形成されており、矩箱形状の天面Ｒ上に陳列された商品の落下防止として機能する。また、柵部材３０は陳列什器２に形成された孔部２５，２５と陳列什器３に形成された孔部２６，２６とに亘り係合される脚部３１，３１，３１，３１が連結杆部３２，３２，３２，３２により連結された１体の部材であるため、陳列什器２に対する陳列什器３の回動を規制し、第１形態における天面Ｒの形状を維持できる。
【００３７】
また、図１に示されるように、天面Ｒの前後方向の略中央近傍には有底の孔部３３，３３，３４，３４が形成されており、これら孔部３３，３３，３４，３４には、販促に使用される商品の情報等を表示する表示装置３５の脚部３６，３６が選択的に係合可能となっている。
【００３８】
図３及び図４に示されるように、展開時においては、陳列什器３の底面パネル２０が陳列什器２の天面パネル５上に支持されるようになっている。このように陳列什器３が陳列什器２の上に支持された状態で第２形態（複数の陳列什器２，３の展開位置）への変形が完了し、収束時の展示部Ｄ４が閉じられてアクセスができなくなる代わりに収束時の展示部Ｄ１，Ｄ２，Ｄ３に加えて、展示部Ｄ５と、展示部Ｄ６とが商品を陳列可能な展示部として機能することになる。言い換えれば、陳列什器２の開口部８は陳列什器２と陳列什器３とを収束させた際に、陳列什器３により閉塞されるため、展示部Ｄ５，Ｄ６には、展開時即ち開口部８が開放された時点でのみアクセス可能となっている。
【００３９】
以上説明したように、２つの陳列什器２，３は収束位置では箱形状に収束され、これら２つの陳列什器２，３により面積が大きく構成される矩形状の天面Ｒを展示部として利用することで、商品の収容容量を大きく確保することができる。一方、展開位置では、陳列什器２，３が上下方向に広がって展開され、収束時の展示部Ｄ１，Ｄ２，Ｄ３に加えて展示部Ｄ５，Ｄ６が出現するようになっていることから、展示部の面積を広くして商品の展示効果を高めた状態とすることができる。このように、販促企画等に合わせて特徴の異なる展示部を選択することができ、様々な商品の配置レイアウトに対応することができる。
【００４０】
また、展開時には陳列什器２，３の展示部Ｄ５，Ｄ６が上下方向に展開されることになるため、特に商品陳列ユニット１から離れた位置からでも多くの商品を視認しやすい。
【００４１】
また、前述したように、陳列什器３の底面パネル２０は陳列什器２の天面パネル５と略同形状に形成されているため、展開時には、陳列什器３の底面パネル２０と陳列什器２の天面パネル５とが互いにズレなく上下に重合し、美観に優れる。
【００４２】
また、ヒンジ部材１８，１８が底面パネル２０の端面２０ａと天面パネル５の端面５ａとにそれぞれ設けられた凹部（図示せず）に埋設されていることから、第２形態においてヒンジ部材１８，１８が陳列什器３の底面パネル２０と陳列什器２の天面パネル５との間に張り出さず、陳列什器３を陳列什器２上に安定して支持することができる。
【００４３】
また、陳列什器３の側面パネル２２，２２の端縁２２ａ，２２ａが陳列什器２の側面パネル６，６の湾曲部６ｃ，６ｃと対応する形状となっており、かつ陳列什器３の底面パネル２０と陳列什器２の天面パネル５とが略同形状であることから、陳列什器２，３の展開時には、側面パネル２２，２２の端縁２２ａ，２２ａと側面パネル６，６の湾曲部６ｃ，６ｃの湾曲形状が滑らかに連続し、美観に優れる。
【実施例２】
【００４４】
次に、実施例２に係る商品陳列ユニットにつき、図５から図８を参照して説明する。尚、前記実施例に示される構成部分と同一構成部分に付いては同一符号を付して重複する説明を省略する。
【００４５】
図５に示されるように、商品陳列ユニット４１は、３つの陳列什器４２，４３，４４が水平方向に回動自在に連結されて構成されている。陳列什器４２，４３，４４は下端に備えたキャスター７０，７０，…でそれぞれ移動可能となっている。
【００４６】
陳列什器４３は、厚み方向に薄い箱形状であり、厚み方向に貫通する開口部４５が形成されている。開口部４５は上下方向の略中央に仕切板４６が取付けられ、この仕切板４６により商品を陳列可能な収容部４７，４８が区画されている。これら収容部４７，４８には陳列什器４３の厚み方向の内面４３ａ（図６参照）と外面４３ｂ（図７参照）のいずれからもアクセス可能となっている。収容部４７，４８の外面側の領域４７ａ，４８ａが収束時の展示部Ｄ１’として機能する。尚、陳列什器４４は陳列什器４３と略同一構造であるため説明を省略するが、説明の便宜上、陳列什器４４の収容部を収容部５７，５８として説明する。
【００４７】
図６に示されるように、陳列什器４２は、陳列什器４３，４４と同一寸法の箱形状であり、厚み方向に貫通する開口部４９が形成されており、展示面パネル装置５０が固定されている。陳列什器４２の一方の面４２ａ側には、展示面パネル装置５０の一方側面５０ａが開口部４９から露見している。展示面パネル装置５０は、透光性を有するパネル材５１と、パネル材５１に設けられた孔５２からアクセス可能な被係合部（図示せず）とを備え、当該被係合部に板部材５３の端部を係合固定させることで、板部材５３の水平面部５３ａが商品を載置可能な載置部として機能するようになっている。尚、ここでは図示しないが陳列什器４２の他方の面４２ｂ（図７参照）側にも同様に、開口部４９から展示面パネル装置５０の他方側面５０ｂ（図７参照）が露見するように固定されている。これら展示面パネル装置５０の一方側面５０ａと他方側面５０ｂ（図７参照）は、展開時の展示部Ｄ４’，Ｄ５’としてそれぞれ機能する。
【００４８】
図６及び図７に示されるように、陳列什器４２と陳列什器４３、陳列什器４２と陳列什器４４は、それぞれ陳列什器の幅方向の端部に設けられた垂直軸のヒンジ部材５４，５４，…を介して回動可能に連結されている。
【００４９】
図５に示されるように、陳列什器４２と陳列什器４３と陳列什器４４とは、収束位置にあるときに、陳列什器４２の厚み方向の面４２ａ，４２ｂ（図６参照）に陳列什器４３の内面４３ａ（図６参照）と陳列什器４４の内面４４ａ（図６参照）がそれぞれ当接して１つの箱形状を成し、この収束位置にいる状態が商品陳列ユニット４１の第１形態となる。
【００５０】
この商品陳列ユニット４１の第１形態にあっては、前述したように陳列什器４３における収容部４７，４８の外面側の領域４７ａ，４８ａが収束時の展示部Ｄ１’として機能し、同様に陳列什器４４における収容部５７，５８の外面側の領域５７ｂ，５８ｂが収束時の展示部Ｄ２’（図６参照）として機能する。また、陳列什器４２，４３，４４の天面４２ｃ，４３ｃ，４４ｃによって天面Ｒ’が形成され、この天面Ｒ’が商品を載置可能な収束時の展示部Ｄ３’として機能するようになっている。
【００５１】
図８に示されるように、陳列什器４２の幅方向の端部は、厚み方向の面４２ａ，４２ｂから端部に向けて漸次先細る傾斜面６０，６０（側端面）となっている。尚、陳列什器４３，４４についても同様の構造であるため説明を省略する。また傾斜面６０，６０は１２０度を成している。
【００５２】
また、図８に示されるように、ヒンジ部材５４，５４は、厚み方向の面４２ａ，４２ｂにそれぞれ設けられた凹部５５，５５に埋設されており、第１形態においてヒンジ部材５４，５４が張り出さず、陳列什器４２の厚み方向の面４２ａ，４２ｂ（図６参照）に陳列什器４３の内面４３ａと陳列什器４４の内面４４ａとがそれぞれ当接できるようになっている。これによれば、収束時において構成された天面Ｒ’を隙間のない平面形状とすることができる。
【００５３】
図６に示されるように、陳列什器４２と陳列什器４３と陳列什器４４とは、展開位置にあるときに、陳列什器４２の厚み方向の一方の面４２ａと陳列什器４３の内面４３ａとの間と、陳列什器４２の厚み方向の他方の面４２ｂと陳列什器４４の内面４４ａとの間とがそれぞれ離間し、対向する陳列什器４２，４３，４４の対向面である傾斜面６０，６０，…同士が面接することで、商品陳列ユニット４１の第２形態となる。
【００５４】
第１形態から第２形態への変形時には、対向する陳列什器４２，４３，４４の対向面である傾斜面６０，６０，…同士が面接することで、展開時における陳列什器４２，４３，４４の位置合わせが容易となっている。また、傾斜面６０，６０，…同士が面接することで隙間が生じず美観に優れる。
【００５５】
この商品陳列ユニット４１の第２形態にあっては、陳列什器４３における収容部４７，４８の内面側の領域４７ｂ，４８ｂが露見し、展開時の展示部Ｄ６’として機能する。同様に陳列什器４４における収容部５７，５８の内面側の領域５７ｂ，５８ｂが露見し、展開時の展示部Ｄ７’として機能する。このように第２形態にあっては、第１形態における展示部Ｄ１’，Ｄ２’に加えて展示部Ｄ４’，Ｄ５’，Ｄ６’，Ｄ７’が展示部として機能することになり、展示部の総面積が増加し、展示効果が高くなる。また、第２形態にあっては、陳列什器４２，４３，４４が幅方向に大きく展開されることにより特に商品陳列ユニット４１から近い位置における展示効果を高めることができる。
【００５６】
また、第１形態では１つの箱形状を成し、第２形態に比べて幅方向に小さくなるため、商品陳列ユニット４１を配置する空間が小さい場合には第１形態を選択し、広い空間であれば第２形態を選択することができる。
【００５７】
図５に示されるように、陳列什器４２，４３，４４の天面４２ｃ，４３ｃ，４４ｃには有底の孔部６１，６１，…が形成されており、この孔部６１，６１，…に連結杆部６４，６４，…により連結された柵部材６２の脚部６３，６３，…が係合可能となっている。柵部材６２は、矩箱形状の天面Ｒ’上に陳列された商品の落下防止として機能する。また、柵部材６２は陳列什器４２，４３，４４に形成された孔部６１，６１，…に亘り係合される脚部６３，６３，…が連結杆部６４，６４，…により連結された１体の部材であるため、陳列什器４２，４３，４４の相対的な回動を規制し、第１形態における天面Ｒ’の形状を維持できる。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例１では、２つの陳列什器２，３を水平方向の回転軸により上下に展開または収束できる構成として説明し、前記実施例２では、３つの陳列什器４２，４３，４４を垂直軸の回転軸により幅方向に展開または収束できる構成として説明したが、複数の陳列什器を水平軸もしくは垂直軸の回転軸により展開または収束できる構成であれば、上記した構成に限らず、たとえば水平軸の回転軸で展開または収束できる陳列什器と、垂直軸の回転軸で展開または収束できる陳列什器とを共に備えた構成であってもよい。
【００６０】
また、前記実施例１と２では、収束時の天面Ｒ（Ｒ’）以外の展示部が展開時にも展示部として機能し、実質的に展示部の面数や総面積が増加する構成となっているが、これに限らず、例えば展開時には収束時の展示部の全てにアクセス不可となるようにし、展示部の面数が増加しない構成としてもよいし、展開時の展示部の総面積が収束時の展示部の総面積と同じか、それより小さくなる構成としてもよい。
【００６１】
また、前記実施例２における陳列什器４３と陳列什器４４とは同一構造に限らず、例えば厚み方向や幅方向の寸法が異なっていてもよいし、展示部の位置やその構造が異なるものであってもよい。尚、反対に陳列什器４２，４３，４４はすべて同一構成の展示部を有して構成されていてもよい。
【００６２】
また、展示部は商品を載置できる面や、商品を展示可能な面に限らず、例えば商品そのものを展示せず、商品の情報等を表示するものであってもよい。
【００６３】
また、前記実施例１では、陳列什器３が床に載置された陳列什器２に対して水平方向の回転軸により上方に展開される構成で説明したが、これに限らず、例えば収束時に上方に位置する陳列什器が下方に展開される構成としてもよい。
【符号の説明】
【００６４】
１                商品陳列ユニット
２，３            陳列什器
４                正面パネル
５                天面パネル
５ｂ              外面（展示部Ｄ３）
６                側面パネル
６ｃ              湾曲部
８                開口部
９                仕切パネル
９ａ              上面（展示部Ｄ５）
１０              展示面パネル装置
１０ａ            外面（展示部Ｄ１）
１０ｂ            内面（展示部Ｄ５）
１７              陳列部（展示部Ｄ２）
１８              ヒンジ部材
２０              底面パネル
２０ａ            端面
２０ｂ            内面（展示部Ｄ４）
２０ｃ            外面（展示部Ｄ３）
２１              天面パネル
２２              側面パネル
２２ａ            端縁
２３              開口部
２４              展示面パネル装置
２４ａ            外面（展示部Ｄ３）
２４ｂ            内面（展示部Ｄ６）
２５，２６        孔部
３０              柵部材
３５              表示装置
４１              商品陳列ユニット
４２，４３，４４  陳列什器
４２ｃ            天面（展示部Ｄ３’）
４３ｃ，４４ｃ    天面（展示部Ｄ３’）
４５              開口部
４６              仕切板
４７，４８        収容部
４７ａ，４８ａ    収容部外面側の領域（展示部Ｄ１’）
５７ａ，５８ａ    収容部外面側の領域（展示部Ｄ２’）
４７ｂ，４８ｂ    収容部内面側の領域（展示部Ｄ６’）
５７ｂ，５８ｂ    収容部内面側の領域（展示部Ｄ７’）
５０              展示面パネル装置
５０ａ            展示面パネル装置一方側面（展示部Ｄ４’）
５０ｂ            展示面パネル装置他方側面（展示部Ｄ５’）
５１              パネル材
５４              ヒンジ部材
５５              凹部
６０              傾斜面（側端面）
７０              キャスター
７１              巾木
Ｒ，Ｒ’          天面
【図１】
2018102776.tif 000003
【図２】
2018102776.tif 000004
【図３】
2018102776.tif 000005
【図４】
2018102776.tif 000006
【図５】
2018102776.tif 000007
【図６】
2018102776.tif 000008
【図７】
2018102776.tif 000009
【図８】
2018102776.tif 000010